(57)【要約】    【課題】  １／４波長板を効果的に防塵し、かつ１／４波長板を均一に冷却することが容易で良好なるコントラストの投射画像が得られる光変調素子ユニット及びそれを有する画像表示装置を得ること。    【解決手段】  画像情報を投射レンズによって投射する画像表示装置に用いられる光変調素子ユニットであって、該光変調素子ユニットは、画像情報を形成する光変調素子と、該光変調素子の光入射側に空気間隔を隔てて設けた透明基板と、該光変調素子と該透明基板との間であって該透明基板に貼付された１／４波長板と、該光変調素子と該透明基板との間で形成される空間を覆う弾性カバー部材と、該透明基板の光入射側に配置された透明な光学素子と、該透明基板の外側周辺部を保持する保持部材と、該保持部材の側方に設けた冷却装置と、を有し、該保持部材の一部は、該冷却装置から送られてくる風が該透明基板に当たらないようにしていること。【選択図】  図６
2008233777.tif 000002
【特許請求の範囲】
【請求項１】
光源からの光を受けて被投射面に画像情報を投射レンズによって投射する画像表示装置に用いられる光変調素子ユニットであって、
該光変調素子ユニットは、
光変調により、画像情報を形成する反射型の光変調素子と、
該光変調素子の光入射側に空気間隔を隔てて設けた透明基板と、
該光変調素子と該透明基板との間であって該透明基板に貼付された１／４波長板と、
該光変調素子と該透明基板との間で形成される空間を覆う弾性カバー部材と、
該透明基板の光入射側に配置された透明な光学素子と、
該透明基板の外側周辺部を保持する保持部材と、
該保持部材の側方に設けた冷却装置と、を有し、
該保持部材の一部は、
該冷却装置から送られてくる風が
該透明基板の外周部に当たらないように及び該光学素子と透明基板との間の空間内を通り、該透明基板の光通過面に当たらないように、
該透明基板の外側周辺部の少なくとも一部を覆った遮風壁を構成し、
該冷却装置からの風が該遮光壁を沿って流れるようにしていること、
を特徴とする光変調素子ユニット。
【請求項２】
前記透明基板は、該透明基板の中心に対して点対称な少なくとも２箇所以上の端面が前記保持部材に対して固定されていることを特徴とする請求項１に記載の光変調素子ユニット。
【請求項３】
前記保持部材の材料は、熱伝導率が５０Ｗ／ｍ・Ｋ以上であることを特徴とする請求項１又は２に記載の光変調素子ユニット。
【請求項４】
前記遮風壁は、該遮風壁の周囲の一部に配置されている部材との間でダクトを形成していることを特徴とする請求項１、２又は３に記載の光変調素子ユニット。
【請求項５】
前記遮風壁の外周の少なくとも一部には、
該遮光壁に垂直な方向にリブが設けられ、該遮風壁と該リブでダクトを形成していることを特徴とする請求項１乃至４のいずれか１項に記載の光変調素子ユニット。
【請求項６】
前記リブは前記遮風壁の一面で垂直方向に複数設けられており、このうち少なくとも一部は冷却フィンを兼ねていることを特徴とする請求項５に記載の光変調素子ユニット。
【請求項７】
前記遮風壁の一部には前記透明基板の側面に対してテーパ角度がついていることを特徴とする請求項１乃至６のいずれか１項に記載の光変調素子ユニット。
【請求項８】
請求項１乃至７のいずれか１項に記載の光変調素子ユニットと、光源と、投射光学系とを有していることを特徴とする画像表示装置。
【発明の詳細な説明】
【技術分野】
【０００１】
本発明は、光変調素子ユニット及びそれを有する画像表示装置に関し、例えば液晶パネル（光変調素子）に基づく投射像原画をスクリーン面（被投射面）上に拡大投影する液晶プロジェクタに好適なものである。
【背景技術】
【０００２】
従来、液晶パネル等の光変調素子に基づく投影像原画をスクリーン面上に拡大投影するようにした液晶プロジェクタが種々と提案されている。
【０００３】
液晶プロジェクタに用いられている液晶パネルを含む光変調素子ユニットには、液晶パネルの光入射側に透明基板に貼付された１／４波長板が設けられている。
【０００４】
光変調素子ユニットを動作させる為、液晶パネルを照明する光源を動作させると光源からの熱により、有機フィルムである１／４波長板が発熱し、フィルムや、フィルムを貼り付ける透明基板内に熱応力が発生する。これにより１／４波長板に不均一な複屈折が生じて光学性能が変化し、投射画像のコントラストにムラが生じる。例えば、黒の色ムラが発生してくる。反射型の液晶パネルを用いた反射型の液晶プロジェクタにおける構造は、液晶パネルと色分解色合成用のプリズム間にある１／４波長板などの光学素子をできるかぎり防塵構造で覆う構成が一般的となっている。液晶パネルとプリズム間を密閉空間とした場合、空気の循環がないため、空気が断熱材となり、液晶パネルや見切り遮光マスク、１／４波長板で生じた熱がこもりやすくなる。よって防塵構造内では１／４波長板は充分厚みを持ったガラスなどの透明基板にはりつけ、透明基板に冷却風を直接当てて放熱板とデフォーカスガラスを兼ねる手法が用いられている。この手法は高輝度な液晶プロジェクタにおいて特に有用である。また透過型の液晶プロジェクタにおける液晶パネルの冷却方法として見切りのついた液晶パネルのケースにおいて、ガラス面に風が流れ、かつケースの外枠付近に風が流れるような導風路を設けた構成が知られている（特許文献１）。
【特許文献１】特開２００４−４５６８０号公報
【発明の開示】
【発明が解決しようとする課題】
【０００５】
近年、液晶プロジェクター等の画像表示装置においては投射画像の画質が良いことが強く要望されている。例えば投射画像の画像コントラストが良いことや、投射画像の黒表示の時の輝度分布のバラツキによる色ムラの発生が少ないこと等が要望されている。一般的に液晶プロジェクタにおいては超高圧水銀ランプなどのランプ光源を用いているため、赤、緑、青色光の各色光の光量は異なる。特に緑色光の波長領域において、輝線が多いため、緑色光の光量は他の色光に比べて圧倒的に高い。これによって、各色光での光源からの発熱量も異なる。よって、反射型の液晶プロジェクタでは画像コントラストに強い影響を与える複屈折作用をする１／４波長板を冷却する際の冷却条件も各色光毎によって異なる。このため、各色光毎に１／４波長板面を冷却するために送風する風の風速分布を同一にし、１／４波長板面の全体を均一に冷却することが困難であった。１／４波長板面内での風の風速分布が均一でないと、１／４波長板の中心と周辺で温度差が生じ、１／４波長板面内での温度分布の不均一が大きくなってくる。これにより、１／４波長板内での応力分布の不均一が生じ、複屈折分布に差が生じてくる。つまり液晶プロジェクタにおいては１／４波長板面内での冷却条件、また各色光ごとの１／４波長板の冷却条件が異なることが、投射画像に画像コントラスト、特に投射画像に黒の色ムラが発生する大きな一因となっていた。
【０００６】
又、１／４波長板の光学特性を良好に維持するためには、１／４波長板を防塵構造で覆うことも重要になっている。
【０００７】
本発明は、１／４波長板を効果的に防塵し、かつ１／４波長板を均一に冷却することが容易で良好なるコントラストの投射画像が得られる光変調素子ユニット及びそれを有する画像表示装置の提供を目的とする。
【課題を解決するための手段】
【０００８】
本発明の、光変調素子ユニットは、
光源からの光を受けて被投射面に画像情報を投射レンズによって投射する画像表示装置に用いられる光変調素子ユニットであって、
該光変調素子ユニットは、
光変調により、画像情報を形成する反射型の光変調素子と、
該光変調素子の光入射側に空気間隔を隔てて設けた透明基板と、
該光変調素子と該透明基板との間であって該透明基板に貼付された１／４波長板と、
該光変調素子と該透明基板との間で形成される空間を覆う弾性カバー部材と、
該透明基板の光入射側に配置された透明な光学素子と、
該透明基板の外側周辺部を保持する保持部材と、
該保持部材の側方に設けた冷却装置と、を有し、
該保持部材の一部は、
該冷却装置から送られてくる風が
該透明基板の外周部に当たらないように及び該光学素子と透明基板との間の空間内を通り、該透明基板の光通過面に当たらないように、
該透明基板の外側周辺部の少なくとも一部を覆った遮風壁を構成し、
該冷却装置からの風が該遮光壁を沿って流れるようにしていること、
を特徴としている。
【発明の効果】
【０００９】
本発明によれば、投射画像のコントラストが高く、黒の色ムラのない高い画質と良好なる防塵性を有した反射型の液晶プロジェクタに好適な光変調素子ユニットを実現することができる。
【発明を実施するための最良の形態】
【００１０】
以下に、本発明の画像表示装置の実施の形態を添付の図面に基づいて詳細に説明する。
【００１１】
本発明の光変調素子ユニットは、
光源からの光を受けて被投射面に画像情報を投射レンズによって投射する画像表示装置に用いられるものである。
【００１２】
本実施例の画像表示装置は、光変調素子ユニットと光源と投射光学系とを有している。
【実施例１】
【００１３】
図１は、本発明の投射型の画像表示装置（投射表示装置）の実施例１の要部説明図である。
【００１４】
図１において、１は光源（ランプ）である。２はランプ１を保持するランプホルダー、３は防爆ガラス、４はガラス押さえである。αはランプ１からの光を投射光学系（投射レンズ）へ導光する照明光学系である。βは照明光学系αからの出射光が入射するＲＧＢの３色用の液晶パネルを備えた色分解合成光学系である。５は色分解合成光学系βからの出射光が入射して図示せぬスクリーン（被投射面）に画像を投射する投射レンズ鏡筒であり、投射レンズ鏡筒５内には後述する投射光学系（投射レンズ）を収納している。６はランプ１、照明光学系α、色分解合成光学系β等を収納するとともに投射レンズ鏡筒５が固定される光学ボックスである。光学ボックス６にはランプ１の周囲を囲むランプ周辺部材としてのランプケース部材６ａが形成されている。
【００１５】
７は光学ボックス６内に照明光学系α、色分解合成光学系βを収納した状態で蓋をする光学ボックス蓋である。８は電源、９は電源フィルタ、１０は電源８と合体しランプ１を点灯する為のバラスト電源である。１１は電源８からの電力により液晶パネルの駆動、及びランプ１の点灯指令を送る為の回路基板である。１２Ａ・１２Ｂは後述する外装キャビネット２１の吸気口２１ａから空気を吸い込むことで色分解合成光学系β内の液晶パネル等の光学素子を冷却する為の光学系用の冷却ファン・冷却ファンである。１３は光学系用の冷却ファン１２（１２Ａ、１２Ｂ）による風を色分解合成光学系β内の液晶パネル等の光学素子に送る為のＲＧＢダクトである。
【００１６】
冷却ファン１２Ａ、１２Ｂ、ＲＧＢダクト１３等は冷却装置の一要素を構成している。
【００１７】
１４はランプ１に対して吹き付け風を送り、ランプ１を冷却する為の冷却ファン（ランプ冷却ファン）である。１５はランプ冷却ファン１４を保持しつつ冷却風をランプに送るためのランプダクトである。１６は冷却ファン１４を押さえてランプダクト１５のと合わせてダクトを構築するためのランプダクトＢである。１７は後述する外装キャビネット２１に設けた吸気口２１ｂから空気を吸い込むことで電源８とバラスト電源１０内に風を流通させることで電源８及びバラスト電源１０を同時に冷却する為の電源用の冷却ファンである。１８は排気ファンであり、排気ファン１８はランプ冷却ファン１４によるランプ１を通過した後の熱風を排出する。
【００１８】
１９はランプ排気ルーバー、２０はランプ排気ルーバーであり、これらは、ランプ１からの光が装置外部に漏れないような遮光機能を有している。
【００１９】
２１は光学ボックス６等を収納する為の外装キャビネット（外装ケース下部）である。２２は外装キャビネット２１に光学ボックス６等を収納した状態で蓋をする為の外装キャビネット蓋（外装ケース上部）である。２３は側板、２４は側板である。外装キャビネット２１には上述した吸気口２１ａ、２１ｂが形成されており、側板２４には上述した排気口２４ａが形成されている。
【００２０】
２５は各種信号を取り込むコネクターが搭載されるインターフェース基板である。２６は側板２３の内側に取り付けられたインターフェース補強板である。
【００２１】
２７はランプ１からの排気熱を排気ファン１８まで導き、装置内部に排気風を放散させないためのランプ排気ボックスで、ランプ排気ルーバー１９とランプ排気ルーバー２０を保持する。
【００２２】
２８はランプ蓋で、ランプ蓋２８は外装キャビネット２１の底面に着脱自在に設けられており、ビス（不図示）により固定されている。２９はセット調整脚で、セット調整脚２９は外装キャビネット２１に固定されており、その脚部２９ａの高さは調整可能となっている。脚部２９ａの高さ調整により、装置本体の傾斜角度を調整できるように構成されている。
【００２３】
３０は外装キャビネット２１の吸気口２１ａの外側に取り付く不図示のフィルターを押えるＲＧＢ吸気プレートである。
【００２４】
３１は色分解合成光学系βを保持するプリズムベースである。３２は、色分解合成光学系βを構成する光学素子と反射型液晶表示素子を冷却するために冷却ファン１２Ａ・冷却ファン１２Ｂからの冷却風を導くためのダクト形状部を有するボックスサイドカバーである。３３はボックスサイドカバー３２と合わせることでダクトを形成するためのＲＧＢダクトである。
【００２５】
３４は色分解合成光学系β内に配置されるところの、反射型液晶表示素子から出ているＦＰＣが接続され、１１の回路基板１１に接続されるＲＧＢ基板である。３５はＲＧＢ基板３４に電気ノイズが入り込まないようにするためのＲＧＢ基板カバーである。
【００２６】
図２は、図１で示したランプ１、照明光学系α、色分解合成光学系β、投射レンズ鏡筒５にて構成される反射型の液晶表示素子（反射型の液晶パネル等の光変調素子）を搭載した投射型の画像表示装置の光学構成の要部概略図である。
【００２７】
図２（Ａ）、（Ｂ）は互いに直交するＹＺ断面、ＸＺ断面である。
【００２８】
図２において、４１は連続スペクトルで白色光を発光する発光管、４２は発光管４１からの光を所定の方向に集光するリフレクターであり、発光管４１とリフレクター４２は、ランプ１の一要素を形成する。
【００２９】
４３ａは水平方向（ランプ１からの光の進行方向における水平方向（Ｙ方向）（紙面垂直方向））において屈折力を有するレンズアレイで構成された第１のシリンダアレイである。４３ｂは第１のシリンダアレイ４３ａの個々のレンズに対応したレンズアレイを有する第２のシリンダアレイである。４４は紫外線吸収フィルタ、４５は無偏光光を所定の偏光光に揃えて出射する偏光変換素子である。
【００３０】
４６は垂直方向（Ｘ方向）において屈折力を有するシリンドリカルレンズで構成されたフロントコンプレッサである。４７は光軸を８８度変換する為の全反射ミラーである。４３ｃは垂直方向（ランプ１からの光の進行方向における垂直方向（紙面垂直方向））において屈折力を有するレンズアレイで構成された第３のシリンダアレイである。４３ｄは第３のシリンダアレイ４３ｃの個々のレンズに対応したレンズアレイを有する第４のシリンダアレイである。５０は色座標をある値に調整するために特定波長域の色をランプ１側に戻すためのカラーフィルターである。４８はコンデンサーレンズである。４９は垂直方向において屈折力を有するシリンドリカルレンズで構成されたリアコンプレッサである。以上の各要素は照明光学系αの一要素を構成している。
【００３１】
５８は青色（Ｂ）と赤色（Ｒ）の波長領域の光を反射し、緑色（Ｇ）の波長領域の光を透過するダイクロイックミラーである。５９は透明基板に偏光素子を貼着したＧ用の入射側偏光板であり、Ｐ偏光光のみを透過する。６０はＰ偏光光を透過し、Ｓ偏光光を反射する第１の偏光ビームスプリッターであり、偏光分離面を有する。
【００３２】
６１Ｒ，６１Ｇ，６１Ｂはそれぞれ入射した光を反射するとともに画像変調する赤用の反射型液晶表示素子、緑用の反射型液晶表示素子、青用の反射型液晶表示素子である。６２Ｒ，６２Ｇ，６２Ｂはそれぞれ、赤色用の１／４波長板、緑色用の１／４波長板、青色用の１／４波長板である。６４ａは赤色（Ｒ）の色純度を高めるためにオレンジ光をランプに戻すトリミングフィルターである。６４ｂは透明基板に偏光素子を貼着した赤、青色用の入射側偏光板であり、Ｐ偏光のみを透過する。６５は赤色光（Ｒ）光の偏光方向を９０度変換し、青色光（Ｂ）光の偏光方向は変換しない色選択性位相差板である。６６はＰ偏光を透過し、Ｓ偏光を反射する第２の偏光ビームスプリッターであり、偏光分離面を有する。
【００３３】
６８Ｂは青色用（Ｂ用）の出射側偏光板（偏光素子）であり、青色（Ｂ）のＳ偏光のみを整流する。６８ＧはＳ偏光のみを透過させる緑色用（Ｇ用）の出側偏光板である。６９は赤色光（Ｒ）と青色光（Ｂ）を透過し、緑色光（Ｇ光）を反射するダイクロイックプリズムである。
【００３４】
以上のダイクロイックミラー５８からダイクロイックプリズム６９に至る各要素は、色分解合成光学系βの一要素を構成している。
【００３５】
ここでＰ偏光とＳ偏光の定義を明確にすると、偏光変換素子４５では、Ｐ偏光をＳ偏光に変換するが、ここでのＰ偏光とＳ偏光は４５の偏光変換素子を基準として述べている。一方ダイクロイックミラー５８に入射する光は偏光ビームスプリッター６０，６６基準で考えるのでＰ偏光光が入射するものとする。偏光変換素子４５から射出された光はＳ偏光だが、同じＳ偏光光をダイクロイックミラー５８に入射する光をＰ偏光光として本実施例では定義する。
【００３６】
次に図２（Ａ）、（Ｂ）に示す画像表示装置の光学的な作用を説明する。
【００３７】
発光管４１から発した光はリフレクター４２により所定の方向に集光される。リフレクター４２の反射面は放物面形状を有しており、放物面の焦点位置から放射した光は放物面で反射し、その対称軸に平行な光束となる。但し、発光管４１の発光点は理想的な点光源ではなく有限の大きさを有しているので、放物面で反射し集光する光束には放物面の対称軸に平行でない光の成分も多く含まれている。これらの光束は、第１のシリンダアレイ４３ａに入射する。第１のシリンダアレイ４３ａに入射した光束はそれぞれのシリンダレンズに応じた複数の光束に分割、集光される（垂直方向に帯状の複数の光束となる）。そして、紫外線吸収フィルタ４４を介して、第２のシリンダアレイ４３ｂを経て、複数の点光源（垂直方向に帯状の複数の光束）を偏光変換素子４５の近傍に形成する。
【００３８】
偏光変換素子４５は、偏光分離面と反射面と１／２波長板とからなり、複数の点光源からの光束は、その列に対応した偏光分離面に入射し、透過するＰ偏光成分の光と反射するＳ偏光成分の光に分割される。偏向分離面で反射されたＳ偏光成分の光は反射面で反射し、Ｐ偏光成分と同じ方向に出射する。一方、透過したＰ偏光成分の光は、１／２波長板を透過してＳ偏光成分と同じ偏光成分に変換され、偏光方向が揃った光として出射する。偏光変換された複数の光束（垂直方向に帯状の複数の光束）は、偏光変換素子４５を出射した後、フロントコンプレッサ４６を介して、反射ミラー４７にて８８度反射し、第３のシリンダアレイ４３ｃに入射する。第３のシリンダアレイ４３ｃに入射した光束はそれぞれのシリンダレンズに応じた複数の光束に分割、集光され（水平方向に帯状の複数の光束）、第４のシリンダアレイ４３ｄを経て、複数の光束（水平方向に帯状の複数の光束）となる。そして、複数の光束は各々コンデンサーレンズ４８、リアコンプレッサ４９に至る。
【００３９】
ここで、フロントコンプレッサ４６、コンデンサーレンズ４８、リアコンプレッサ４９の光学的作用の関係で、複数の光束は矩形形状の像が重なった形で矩形の均一な照明エリアが形成される。この照明エリアに後述の反射型液晶表示素子６１Ｒ、６１Ｇ、６１Ｂを配置する。次に、偏光変換素子４５によりＳ偏光とされた光は、ダイクロイックミラー５８に入射する。尚、ダイクロイックミラー５８は、Ｂ光（波長４３０〜４９５ｎｍ）とＲ光（波長５９０〜６５０ｎｍ）の光は反射し、Ｇ光（波長５０５〜５８０ｎｍ）の光は透過する。
【００４０】
次に、Ｇ光の光路について説明する。
【００４１】
ダイクロイックミラー５８を透過したＧ光は入射側偏光板５９に入射する。尚、Ｇ光はダイクロイックミラー５８によって分解された後もＰ偏光（４５の偏光変換素子基準の場合はＳ偏光）となっている。そしてＧ光は、入射側偏光板５９から出射した後、第１の偏光ビームスプリッター６０に対してＰ偏光として入射して偏光分離面で透過して、１／４波長板６２Ｇを介して、Ｇ光用の反射型液晶表示素子６１Ｇへと至る。Ｇ光用の反射型液晶表示素子６１Ｇにおいては、Ｇ光が画像変調されて反射される。画像変調されたＧ光の反射光のうちＰ偏光成分は、再び第１の偏光ビームスプリッター６０の偏光分離面で透過して光源１側に戻され、投射光から除去される。一方、画像変調されたＧ光の反射光のうちＳ偏光成分は、第１の偏光ビームスプリッター６０の偏光分離面で反射され、投射光としてダイクロイックプリズム６９に向かう。このとき、すべての偏光成分をＰ偏光に変換した状態（黒を表示した状態）において、第１の偏光ビームスプリッター６０とＧ光用の反射型液晶表示素子６１Ｇとの間に設けられた１／４波長板６２Ｇの遅相軸を所定の方向に調整している。これにより、第１の偏光ビームスプリッター６０とＧ光用の反射型液晶表示素子６１Ｇで発生する偏光状態の乱れの影響を小さく抑えることができる。第１の偏光ビームスプリッター６０から出射したＧ光は、第３の偏光ビームスプリッター６９に対してＳ偏光として入射し、ダイクロイックプリズム６９のダイクロイック膜面でＧ光を反射して投射レンズ７０へと至る。
【００４２】
一方、ダイクロイックミラー５８を反射したＲ光とＢ光は、入射側偏光板６４ａに入射する。尚、Ｒ光とＢ光はダイクロイックミラー５８によって分解された後もＰ偏光となっている。そしてＲ光とＢ光は、トリミングフィルター６４ａでそれらの光のうちオレンジ光成分をカットされた後、入射側偏光板６４ｂから出射し、色選択性位相差板６５に入射する。色選択性位相差板６５は、Ｒ光のみ偏光方向を９０度回転する作用を持っており、これによりＲ光はＳ偏光として、Ｂ光はＰ偏光として第２の偏光ビームスプリッター６６に入射する。Ｓ偏光として第２の偏光ビームスプリッター６６に入射したＲ光は、第２の偏光ビームスプリッター６６の偏光分離面で反射され、Ｒ光用の反射型液晶表示素子６１Ｒへと至る。また、Ｐ偏光として第２の偏光ビームスプリッター６６に入射したＢ光は、第２の偏光ビームスプリッター６６の偏光分離面を透過してＢ光用の反射型液晶表示素子６１Ｂへと至る。
【００４３】
Ｒ光用の反射型液晶表示素子６１Ｒに入射したＲ光は画像変調されて反射される。画像変調されたＲ光の反射光のうちＳ偏光成分は、再び第２の偏光ビームスプリッター６６の偏光分離面で反射されて光源１側に戻され、投射光から除去される。一方、画像変調されたＲ光の反射光のうちＰ偏光成分は第２の偏光ビームスプリッター６６の偏光分離面を透過して投射光としてダイクロイックプリズム６９に向かう。
【００４４】
また、Ｂ光用の反射型液晶表示素子６１Ｂに入射したＢ光は画像変調されて反射される。画像変調されたＢ光の反射光のうちＰ偏光成分は、再び第２の偏光ビームスプリッター６６の偏光分離面を透過して光源１側に戻され、投射光から除去される。一方、画像変調されたＢ光の反射光のうちＳ偏光成分は第２の偏光ビームスプリッター６６の偏光分離面で反射して投射光としてダイクロイックプリズム６９に向かう。
【００４５】
このとき、第２の偏光ビームスプリッター６６とＲ光用，Ｂ光用の反射型液晶表示素子６１Ｒ，６１Ｂの間に設けられた１／４波長板６２Ｒ，６２Ｂの遅相軸を調整することにより、Ｇ光の場合と同じようにＲ光，Ｂ光それぞれの黒の表示の調整を行うことができる。
【００４６】
こうして１つの光束に合成され、第２の偏光ビームスプリッター６６から出射したＲ光とＢ光の投射光のうちＢ光は、出射側の偏光板６８Ｂで検光されてダイクロイックプリズム６９に入射する。また、Ｒ光はＰ偏光のまま偏光板６８Ｂをそのまま透過し、ダイクロイックプリズム６９に入射する。
【００４７】
尚、出射側の偏光板６８Ｂで検光されることにより、Ｂ光の投射光は第２の偏光ビームスプリッター６６とＢ光用の反射型液晶表示素子６１Ｂ、１／４波長板６２Ｂを通ることによって生じた無効な成分をカットされた光となる。
【００４８】
そして、ダイクロイックプリズム６９に入射したＲ光とＢ光の投射光はダイクロイックプリズム６９のダイクロイック膜面を透過し、前述した該ダイクロイック膜面にて反射したＧ光と合成されて投射レンズ５に至る。
【００４９】
そして、合成されたＲ光，Ｇ光，Ｂ光の投射光は、投射レンズ５によってスクリーンなどの被投射面に拡大投影される。
【００５０】
以上説明した光路は反射型の液晶表示素子が白表示の場合である為、以下に反射型の液晶表示素子が黒表示の場合での光路を説明する。
【００５１】
まず、Ｇ光の光路について説明する。
【００５２】
ダイクロイックミラー５８を透過したＧ光のＰ偏光光は入射側偏光板５９に入射し、その後、第１の偏光ビームスプリッター６０に入射して偏光分離面で透過され、Ｇ光用の反射型液晶表示素子６１Ｇへと至る。しかし、反射型液晶表示素子６１Ｇが黒表示の為、Ｇ光は画像変調されないまま反射される。従って、反射型液晶表示素子６１Ｇで反射された後もＧ光はＰ偏光光のままである為、再び第１の偏光ビームスプリッター６０の偏光分離面で透過し、入射側偏光板５９を透過して光源１側に戻され、投射光から除去される。
【００５３】
次に、Ｒ光とＢ光の光路について説明する。
【００５４】
ダイクロイックミラー５８を反射したＲ光とＢ光のＰ偏光光は、入射側偏光板６４ｂに入射する。そしてＲ光とＢ光は、入射側偏光板６４ｂから出射した後、色選択性位相差板６５に入射する。色選択性位相差板６５は、Ｒ光のみ偏光方向を９０度回転する作用を持っており、これによりＲ光はＳ偏光として、Ｂ光はＰ偏光として第２の偏光ビームスプリッター６６に入射する。Ｓ偏光として第２の偏光ビームスプリッター６６に入射したＲ光は、第２の偏光ビームスプリッター６６の偏光分離面で反射され、Ｒ光用の反射型液晶表示素子６１Ｒへと至る。また、Ｐ偏光として第２の偏光ビームスプリッター６６に入射したＢ光は、第２の偏光ビームスプリッター６６の偏光分離面を透過してＢ光用の反射型液晶表示素子６１Ｂへと至る。ここでＲ光用の反射型液晶表示素子６１Ｒは黒表示の為、Ｒ光用の反射型液晶表示素子６１Ｒに入射したＲ光は画像変調されないまま反射される。従って、Ｒ光用の反射型液晶表示素子６１Ｒで反射された後もＲの光はＳ偏光光のままである為、再び第２の偏光ビームスプリッター６６の偏光分離面で反射する。そして、入射側の偏光板６４ｂを通過して光源１側に戻され、投射光から除去される為、黒表示となる。一方、Ｂ光用の反射型液晶表示素子６１Ｂに入射したＢ光はＢ光用の反射型液晶表示素子６１Ｂが黒表示の為、画像変調されないまま反射される。従って、Ｂ光用の反射型液晶表示素子６１Ｂで反射された後もＢ光はＰ偏光光のままである為、再び第２の偏光ビームスプリッター６６の偏光分離面を透過する。そして、入射側偏光板６４ｂを透過して光源１側に戻されて投射光から除去される。
【００５５】
以上が、反射型の液晶表示素子（反射型の液晶パネル）を使用した投射型画像表示装置での光学構成の要部である。
【００５６】
図３は液晶パネルを支持するプリズムユニットの構成の要部斜視図である。ここで言うプリズムユニットは図中の色分離合成光学系βとそれより投射レンズ鏡筒５側の光学素子を含んだ部分であって、それらはプリズムベース３１に保持されている。液晶パネル６２Ｂは背面板７０を介してプリズム８８に設けられたプリズム固定板金８８Ｂに接着固定される。１／４波長板７６と透明基板（透光性基板）７５を保持するホルダ部材８０はプリズムを貼り付けてなるプリズムベース３１の一部に構成された円弧状の摺動部３１Ｂにならって光軸を法線方向とする平面内で回転調整可能に保持されている。また、プリズムベース３１にはホルダ部材８０のダクト開口より大きな開口部３１Ｃを有し、冷却風を背面板７０および透明基板７６側に導く構成となっている。
【００５７】
図４は図３で示したプリズムユニットを用いた投射型の画像表示装置と、その冷却機構（冷却装置）について詳細に示した説明図である。プリズムユニットを含む光学系αおよび色分解合成光学系βの近傍に光学素子冷却用のダクト（ダクト機構）１３，３２が取り付けられる。プリズムベース３１と光学ボックス６は図中より省略している。冷却装置には図１で示した開口部２４ａに冷却風を送風するダクト機構３２およびファン１２Ａ、１２Ｂを有している。ダクト機構３２はそれぞれの色光の液晶パネル部まで風路が分割されて導かれており、分割された冷却風は図３に示したプリズムベース３１の開口３１Ｃを通過する。その後、それぞれの色光の液晶パネルに取り付けられたヒートシンク（背面板）７０と１／４波長板７６、透明基板７５に送風され冷却される。またファン１２Ａとファン１２Ｂはダクト機構１３によって図１に示した製品外装下部（外装キャビネット）２１に取り付けられる。製品外装下部２１に設けられた空気取り込み口（吸気口）２１ａにはフィルタ（図示せず）が取り付けられており、フィルタ蓋（ＲＧＢ吸気プレート）３０で蓋がされている。このフィルタによって一定の大きさ以上のゴミが液晶パネルユニット部に到達することを防ぐので、液晶パネル部においては１／４波長板７６とホルダ部材８０、弾性のあるゴムシールド（弾性カバー部材）７８等で覆っている。これにより、防塵しつつ１／４波長板７６に付着する細かいゴミは投影画面に影響ない状態までデフォーカスさせることができる。このことから、１／４波長板７６の片側から液晶パネル側のガラス面６１Ｃまでは完全に防塵構造とすることが好ましい。
【００５８】
液晶プロジェクタの高輝度化に伴い、照明系のＦＮｏ（Ｆナンバー）が明るくなる傾向にある。具体的には１／４波長板７６に入射する主光線の入射角度がより大きくなる。従来の反射型の液晶プロジェクタで用いられていた水晶の１／４波長板は視野角特性が一般的にフィルムタイプよりも劣る。ＦＮｏが明るい照明系に用いると、コントラストが低下してしまうため、１／４波長板としてフィルムタイプを使用することは必須となってきている。一方、有機フィルムの１／４波長板は耐熱温度が水晶に比べて低いため、１／４波長板７６の冷却は不可欠となる。また上記のような構成においては、液晶パネルの発熱による輻射熱、パネルマスク端部の熱吸収による輻射熱、１／４波長板自体の熱吸収などによって、１／４波長板の光束通過部付近の温度が高くなる傾向にある。このため１／４波長板に発生する熱を放熱するためフイルムよりも熱伝導率の高い透明基板７５に貼り付け、透明基板を冷却することが好ましい。
【００５９】
図５には本発明の実施例の光変調素子ユニットにおける１／４波長板７６の冷却方法の説明図である。
【００６０】
本実施例の光変調素子ユニットは、次の各部材を有している。
【００６１】
光変調により画像情報を形成する反射型の光変調素子と、光変調素子の光入射側に空気間隔を隔てて設けた透明基板と、光変調素子と該透明基板との間であって該透明基板に貼付された１／４波長板とを有している。
【００６２】
更に光変調素子と透明基板との間で形成される空間を覆う弾性カバー部材と、透明基板の光入射側に配置された透明な光学素子と、透明基板の外側周辺部を保持する保持部材と、保持部材の側方に設けた冷却装置と、を有している。
【００６３】
図５に示すように、１／４波長板７６を貼り付けた透明基板７５はホルダ部材（保持部材、ホルダ）８０にとりつけられている。ホルダ部材８０は透明基板７５を落とし込み組み付けるような箱型形状をしている。特に光軸方向の突き当ては透明基板７５の周辺部全てとなっており、ホルダ（ホルダ部材）と透明基板７５が周辺部において、均一に接触するような枠構成となっている。ホルダに対する透明基板７５の保持方法は例えばＵＶ接着剤などを用いることができる。保持方法は図６に示すように例えば４隅をＵＶ接着剤８３で接着するなど、左右上下対照な方向に保持することが好ましい。
【００６４】
このように本実施例において透明基板は、透明基板の中心に対して略点対称な少なくとも２箇所以上の端面が前記保持部材に対して固定されている。
【００６５】
ここで略点対称とは点対称を含み、本実施例の効果が得られる程度の対称性を含む。
【００６６】
ホルダ８０と１／４波長板７６の透明基板７５では線膨張率が異なるために保持の方法が画面中心に対して対象でないと、ホルダ８０および１／４波長板７６用の透明基板７５の接着部に応力が発生する。この応力が内部応力となってコントラストを低下させる漏れ光の原因となることがあるからである。よって、画面中心に対して点対象で透明基板７５の側面部位を保持や接着するような構成が好ましい。
【００６７】
さらにホルダ８０の枠部分は特にアルミ、銅などの熱伝導性の良い材質でできている。ホルダ８０の周辺には１／４波長板７６の冷却のための冷却風７３を冷却装置１０１により送風する。１／４波長板７５および透明基板７６の一部に強い冷却風１０１が直接当たらないように、かつホルダ８０自体を冷却する目的で冷却風をホルダ８０に当てるような防風壁（遮風壁）７９がホルダ８０に設置されている（図５参照）。
【００６８】
そして冷却風は防風壁７９に沿ってホルダ８０自体を冷却する。ホルダ８０の近傍に光学ボックス６やプリズムベース３１があって風をホルダ８０側に流すような外壁が構成されていると好ましい。
【００６９】
本実施例では、保持部材の一部は、冷却装置から送られてくる風が透明基板の外周部に当たらないようにしている。更に、保持部材の一部は偏光ビームスプリッタ等の光学素子と透明基板との間の空間内を通り透明基板の光通過面に当たらないように、透明基板の外側周辺部の少なくとも一部を覆った遮風壁を構成している。
【００７０】
そして冷却装置からの風が遮光壁を沿って流れるようにしている。
【００７１】
又、遮風壁は、遮風壁の周囲の一部に配置されている光学ボックス６等の部材との間でダクト（送風路）を形成している。
【００７２】
本実施例において、ホルダ８０には例えばアルミ、銅などの熱伝導率が５０Ｗ／ｍ・Ｋ以上の非常に高い金属を用いている。このため、ホルダ８０を局所的に冷却している防風壁７９の部分の温度と１／４波長板７６用の透明基板７５を保持する部分の温度差は殆どない。また、ホルダ８０と透明基板７５の接触面積が多いほど、効果的に透明基板の持つ熱を吸収することができる。１／４波長板７６および透明基板７５の一部に直接強い風が局所的に当たった従来の場合の温度分布を図７に示す。１／４波長板７６の中心部と周辺部の温度を比較すると、周辺部の温度が中心に対して周辺部の温度が高い（温度は白＞グレー＞黒の順に高い）。このような温度分布を生じた理由としては、１／４波長板７６の端面へ冷却風吹き付けている部分が最も風速が高く冷却効率が高いのに対して、その反対部の端面では風速が著しく落ちている。このことは冷却効率が低下していることが原因であると考えられる。もちろんこのような風速分布を生じさせないような理想的な冷却装置をもちいれば温度分布を低減させることは可能である。従来では１／４波長板の面の風速分布の制御はダクトの設計や実際の測定に時間がかかり容易ではなかった。この温度分布を元に主応力差を応力解析すると図８のようになる。一般的に主応力差はアクリル板やガラス基板など等方性の結晶材料とみなせるアモルファス材料に関しては光弾性定数を介して複屈折量と比例関係にある。よって応力に起因する黒の光漏れの分布を知ることができる。図５に示す結果によると温度分布と同じく、複屈折量も発生の仕方にムラがあり、４隅において値がばらついている。つまり、４隅において光漏れの量が異なる結果となる。さらに赤、緑、青のパネルでも異なるため、部分的にホワイトバランスが崩れ、黒の色ムラとなって視認される。よって、本実施例のように風速分布の差により中心部と周辺部の熱応力差を極力生じさせないように周辺の金属部分への熱伝達を積極的に促すような冷却を行うことが好ましい。図９に本実施例における冷却方法を用いた場合の１／４波長板の透明基板内の温度分布について示す。温度は中心に対して周辺がほぼ同じ温度差となっており、４隅の温度も同一であることがわかる。さらに図１０に主応力差分布をしめす。主応力差は画面の４隅で値が殆ど一致しており、赤、緑、青色用の液晶パネルで漏れ光の位置の差が少ない。このために画面内においてホワイトバランスが崩れる箇所が少なく、部分的に色の差となって現れないために黒の色ムラとなって視認されにくくなる。よって１／４波長板で生じる熱主応力差の分布、すなわち複屈折の分布を、画面中心に対して周辺への変化が均一な状態にすることが可能となる。図１１はそれぞれの条件において、透明基板の中心部と周辺部の風の流れの上流から下流への温度変化をさらに抽出し確認したものである。遮風壁７９を設けた結果の温度分布は中心部８６と周辺部８７の温度はほぼ同一であって、中心に対する周辺の温度変化も風の流れに左右されていないことがわかる。
【００７３】
尚、図５において７１は遮光マスク、６１Ｃは保護ガラスである。
【００７４】
以上のように本実施例の光変調素子ユニットでは、１／４波長板とそれを貼り付けてなる透明基板そのものに風を当てて冷却するのではなく透明基板を保持するホルダに風を当てている。さらに１／４波長板を貼付した透明基板はその外周部がホルダに保持して密閉空間としている。そして、ホルダが例えば金属製の熱伝導率が充分に高いものを用いて、ホルダ内の温度分布が僅かになるようにしている。このことから１／４波長板を貼付した透明基板の接触する外周部において、熱が均一にホルダに逃げていくため、１／４波長板の外周部が均等に冷却することができる。発熱する１／４波長板の中心部に対して周辺部への温度勾配を均一にすることにより、１／４波長板内の応力分布も均一なものとしている。これにより、１／４波長板の複屈折の分布も均一となる。また、前述したように、投射画像の黒の色ムラとしては赤、緑、青色光における画面内の温度ムラのバランスが悪いことにより発生するが、このような冷却方法によれば、赤、緑、青色光用の１／４波長板の複屈折分布を等しくすることが容易となる。この結果、投射画像に黒の色むらが生じにくい投射型表示装置を実現することができる。
【００７５】
特に、本実施例の構成によれば、１／４波長板７６の透明基板７５上の風速分布の管理を行うことなく、従来よりも容易に黒の色ムラの少ない液晶プロジェクタを実現することができる。
【実施例２】
【００７６】
図１２、図１３は本発明における実施例２の要部概略図である。ホルダ８０には導風形状（ダクト形状）８０ａが設けられている。また、実施例１に示したように、保持部材（ホルダ）８０は枠状になっており、防風壁７９が設けられている。導風形状によって冷却風を防風壁７９に直接吹き付ける構造とする。さらにダクト形状８０ａの内壁面には斜面８０ｂが設けられており、徐々に風路断面積が減少するように設計されている。これにより防風壁７９にあたる風の風速を序々に増加させることができる。吹き付ける風速が速ければ速いほど、単位時間あたりの熱輸送量が上昇するのでホルダ８０自体の温度を下げることができる。よって、漏れ光自体の量も低減されるためコントラストも向上し、かつ温度分布も良くなる。このため、画質の良い投射画像が得られる液晶プロジェクタを構成することができる。
【実施例３】
【００７７】
図１４（Ａ）、（Ｂ）は、本発明の実施例３の要部斜視図と側面図である。
【００７８】
本実施例は冷却装置で、ホルダ自体の冷却を行っている。ホルダ８０の側面の少なくとも一部の遮風壁に垂直な方向にさらにリブ９４が構成されている。このリブ９４によりホルダ８０の側面が溝状に構成されている。ホルダ８０の外周に形成されたダクト構造によって遮風壁７９に吹き付けられた冷却風はプリズム６０とホルダ８０によって風向を変えられ、ホルダ側面に設けられた溝部分を構成するリブ９４に流れる。
【００７９】
このように本実施例では、遮風壁の外周の少なくとも一部には、遮光壁に垂直な方向にリブが設けられ、遮風壁とリブでダクトを形成している。
【００８０】
これにより、確実にホルダ側面に冷却風を流すことが容易となる。
【実施例４】
【００８１】
図１５（Ａ）、（Ｂ）は本発明の実施例４の要部斜視図と側面図である。
【００８２】
実施例３においてはホルダの側面に溝を構成するリブ９４について述べたが、さらにリブ９４が形成する溝の間に複数のフィン９５を構成することにより、冷却装置の一部であるホルダ自体の表面積を増すことができる。図１５（Ａ）はホルダの形状を示す。図１５（Ｂ）ではフィン９５が１つの場合を示したが複数設けても良い。一般的に冷却風が通過する風路に接する表面積が増すことにより、ホルダから空気への熱伝達による熱輸送量は増加する。これにより、１／４波長板および透明基板に伝わった熱がホルダにさらに放熱されるので、ホルダによる冷却効果がさらに増すこととなる。図１５（Ｂ）は溝部にフィン形状を設けたホルダの断面図である。
【００８３】
以上のように本実施例において、リブは遮風壁の一面で垂直方向に複数設けられている。このうち少なくとも一部は、冷却フィンを兼ねている。本実施例では、フィンの本数とフィン間隔を最適化することにより、熱輸送の効率を向上することができる。
【実施例５】
【００８４】
図１６は本発明の実施例５の要部概略図である。
【００８５】
本実施例は、さらに確実にホルダを均一に冷却するのに有効なものである。ホルダ８０に隣接する壁８３との間に冷却風を流す構成において、透明基板７５の側面に対しホルダ８０の側面の遮風壁にテーパ角度（角度）９６をつけ、冷却風の入口と出口の実効開口の大きさを可変させる。これにより、入口の風速９７と出口の風速９８では出口の風速９８の方が断面積が減少しているため、風速が早くなる。よってホルダ８０下部の冷却能力が向上するため、確実にホルダ８０の周辺より透明基板７５を冷却することができる。さらに直接冷却風が当たっている遮風壁の付近と、ホルダ下部との僅かな温度差を少しでも解消することができる。
【００８６】
以上のように本実施例において、遮風壁の一部には透明基板の側面に対してテーパ角度がついている。
【００８７】
これにより１／４波長板および透明基板をホルダにより基板周辺からより均一に理想的に冷却することが容易となる。
【図面の簡単な説明】
【００８８】
【図１】本発明の投射型の画像表示装置の実施例１の分解斜視図
【図２（Ａ）】本発明の投射型の画像表示装置の実施例１の光学配置図
【図２（Ｂ）】本発明の投射型の画像表示装置の実施例１の光学配置図
【図３】本発明の実施例１の要部斜視図
【図４】本発明の実施例１の要部斜視図
【図５】本発明の実施例１の一部分の要部概略図
【図６】本発明の実施例１の一部分の要部概略図
【図７】従来例の１／４波長板と透明基板の温度分布を示す図。
【図８】従来例の１／４波長板と透明基板の主応力差分布を示す図。
【図９】本発明の実施例１に係る１／４波長板と透明基板の温度分布を示す図。
【図１０】本発明の実施例１に係る１／４波長板と透明基板の主応力差分布を示す図。
【図１１】本発明と従来例の１／４波長板と透明基板の温度との比較を示す図。
【図１２】本発明の実施例２の一部分の要部概略図
【図１３】本発明の実施例２の一部分の要部概略図
【図１４】本発明の実施例３の一部分の要部概略図
【図１５】本発明の実施例４の一部分の要部概略図
【図１６】本発明の実施例５の一部分の要部概略図
【符号の説明】
【００８９】
１  光源ランプ、２  ランプホルダー、３  防爆ガラス、４  ガラス押さえ、５  投射レンズ鏡筒、６  光学ボックス、７  光学ボックス蓋、８  電源、９  電源フィルタ、１０  バラスト電源、１１  回路基板、１２Ａ・１２Ｂ  光学冷却ファンＡ・Ｂ、１３  ＲＧＢダクト、１４  ランプ冷却ファン（吹き付けファン）、１５  ランプダクト、１６  ランプダクト、１７  電源用冷却ファン、１８  排気ファン、１９  ランプ排気ルーバー、２０  ランプ排気ルーバー、２１  外装キャビネット、２２  外装キャビネット蓋（外装ケース）、２３  側板、２４  側板、２５  インターフェース基板、２６  インターフェース補強板、２７  排気ボックス、２８  ランプ蓋、２９  セット調整脚、３０  ＲＧＢ吸気プレート、４１  ランプ発光管（光源）、４２  リフレクタ、４３ａ  シリンダーアレイ、４３ｂ  シリンダーアレイ、４３ｃ  シリンダーアレイ、４４ｄ  シリンダーアレイ、４４  ＵＶカットフィルタ、４５  ＰＳ変換素子、４６  フロントコンプレッサレンズ、４７  全反射ミラー、４８  コンデンサレンズ、４９  リアコンプレッサレンズ、５８  ダイクロイックミラー、５９  偏光板、６０  偏光ビームスプリッタ、６１Ｇ  緑色用反射型液晶パネル、６１Ｒ  赤色用反射型液晶パネル、６１Ｂ  青色用反射型液晶パネル、６２Ｇ  緑色用１／４波長板、６２Ｂ  青色用１／４波長板、６２Ｒ  赤色用１／４波長板、６４ａ  トリミングフィルターで、６４ｂ  ＲＢ用入射側偏光板、６５  色選択性位相差板で、６６  偏光ビームスプリッタ、６８Ｇ  Ｇ光路用出射側偏光板、６８Ｂ  ＲＢ光路用出射側偏光板、６９  合成プリズム、７０  背面板、７１  遮光マスク、７３  冷却風、７５  透明基板、７６  １／４波長板、７８  弾性カバー部材（ゴムシールド）、７９  防風壁、８０  ホルダ部材、８３  ＵＶ接着剤、９４  リブ、９５  フィン、１０１  冷却装置
【図２（Ａ）】
2008233777.tif 000003
【図２（Ｂ）】
2008233777.tif 000004
【図６】
2008233777.tif 000005
【図１３】
2008233777.tif 000006
【図１５】
2008233777.tif 000007
【図１】
2008233777.tif 000008
【図３】
2008233777.tif 000009
【図４】
2008233777.tif 000010
【図５】
2008233777.tif 000011
【図７】
2008233777.tif 000012
【図８】
2008233777.tif 000013
【図９】
2008233777.tif 000014
【図１０】
2008233777.tif 000015
【図１１】
2008233777.tif 000016
【図１２】
2008233777.tif 000017
【図１４】
2008233777.tif 000018
【図１６】
2008233777.tif 000019